(57)【要約】【課題】      インターネットへ接続できる任意な場所からのインスタントメッセージングサービスの利用できる環境において、送信元は受信先のプレゼンス状態を意識することなく、いつでも自由にインスタントメッセージングサービスの利用を可能にする。【解決手段】  インターネット１へ接続できる任意な場所からインスタントメッセージングサービスの利用できる環境において、端末Ａ２は端末Ｂ３へインスタントメッセージ６を送る際は、インスタントメッセージ専用ソフト４を起動し、端末Ｂ３のプレゼンス状態がオフラインの場合であっても、プレゼンスサーバ５はインスタントメッセージ６を受信し、且つ、一時的にインスタントメッセージ６をシステム内部で保管して、ある一定時間内に端末Ｂ３のプレゼンス状態がオンラインへ遷移したことを検知できた場合はシステム内部で保管していたインスタントメッセージ６を端末Ｂ３へ配送する。【選択図】    図１
2007053713.tif 000002
【特許請求の範囲】
【請求項１】
インターネットへ接続できる任意な場所から、端末に実装してあるインスタントメッセージ専用ソフトとインターネット上にあるプレゼンスサーバを使用してインスタントメッセージングサービスを利用できる環境において、送信元から受信先へインスタントメッセージを送信した場合、送信されたインスタントメッセージはプレゼンスサーバで受信して、プレゼンスサーバ内部で管理しているユーザのプレゼンス情報をもとに、現在の受信先のプレゼンス状態を確認して、プレゼンス状態がオフラインの場合は、プレゼンスサーバは受信したインスタントメッセージを一時的にサーバ内部で保管して、且つ、プレゼンスサーバで受信したインスタントメッセージを一時的にサーバ内部で保管したことを送信元へメッセージ通知することができるようにした、受信先のプレゼンス状態に対応したインスタントメッセージング制御方法およびシステム。
【請求項２】
上記のインスタントメッセージングサービスを利用できる環境において、インスタントメッセージを一時的にサーバ内部で保管しているプレゼンスサーバは、サーバ内部で管理しているユーザのプレゼンス情報により、ある一定時間内に受信先のプレゼンス状態がオンラインへ遷移したことを検知できた場合は、一時的にサーバ内部で保管しているインスタントメッセージを受信先へ配送して、且つ、一時的にサーバ内部で保管していたインスタントメッセージを受信先へ配送したことを送信元へメッセージ通知することができるようにした、受信先のプレゼンス状態に対応したインスタントメッセージング制御方法およびシステム。
【請求項３】
上記のインスタントメッセージングサービスを利用できる環境において、インスタントメッセージを一時的にサーバ内部で保管しているプレゼンスサーバは、サーバ内部で管理しているユーザのプレゼンス情報により、ある一定時間内に受信先のプレゼンス状態がオンラインへ遷移したことを検知できない場合は、一時的にサーバ内部で保管しているインスタントメッセージを削除して、且つ、一時的にサーバ内部で保管していたインスタントメッセージを削除したことを送信元へメッセージ通知することができるようにした、受信先のプレゼンス状態に対応したインスタントメッセージング制御方法およびシステム。
【発明の詳細な説明】
【技術分野】
【０００１】      本発明は、インターネットの接続できる任意な場所からインスタントメッセージングサービスを利用できる環境において、受信先のプレゼンス状態に対応したインスタントメッセージングサービスを実現する技術に関する。
【背景技術】
【０００２】      従来、インスタントメッセージングサービスは、受信先のプレゼンス状態がオンラインであることが一般的であった。
【発明の開示】
【発明が解決しようとする課題】
【０００３】      従来のインスタントメッセージングサービスは、受信先のプレゼンス状態がオンラインであることが一般的であり、この接続方法（サービス仕様）は、送信元は受信先へインスタントメッセージを送信したい場合、受信先の現在のプレゼンス状態がオフラインの時はシステム的にインスタントメッセージを送信することができない。たとえすぐに受信先のプレゼンス状態がオンラインへ遷移した場合であっても、送信元はこれに気づかない、あるいは、その他（別用件対応など）の理由によりインスタントメッセージの送信契機を逸してしまい、送信元は改めてインスタントメッセージを再送しなければならず、利便性の低い欠点を持っていた。また、前述の影響により、最初に送信元が受信先へインスタントメッセージを送りたいと考えてから、実際に受信先へメッセージが到達するまでには、ある程度の時間を必要とする場合があり、即時性の低い欠点を持っていた。本発明はインスタントメッセージングサービスにおいて、送信元は受信先へインスタントメッセージを送る際に受信先のプレゼンス状態がオフラインの場合であっても、システムはインスタントメッセージを受信し、且つ、一時的にインスタントメッセージをシステム内部で保管して、ある一定時間内に受信先のプレゼンス状態がオンラインへ遷移したことを検知できた場合は、システム内部で保管していたインスタントメッセージを受信先へ配送することができるようにした。これにより、前述の課題である利便性と即時性が低い２つの欠点を改善した。
【課題を解決するための手段】
【０００４】      これを図面で説明すると、インターネット１へ接続できる任意な場所から、端末Ａ２および端末Ｂ３に実装してあるインスタントメッセージ専用ソフト４とインターネット１上にあるプレゼンスサーバ５を使用してインスタントメッセージングサービスを利用できる環境において、端末Ａ２（送信元）から端末Ｂ３（受信先）へインスタントメッセージ６を送信する。送信されたインスタントメッセージ６はプレゼンスサーバ５で受信して、プレゼンスサーバ内部で管理しているユーザのプレゼンス情報７をもとに、現在の端末Ｂ３（受信先）のプレゼンス状態を確認して、プレゼンス状態がオフラインの場合は、プレゼンスサーバ５は受信したインスタントメッセージ６を一時的にサーバ内部で保管して、且つ、プレゼンスサーバ５で受信したインスタントメッセージ６を一時的にサーバ内部で保管した旨を伝えるメッセージ８を端末Ａ２（送信元）へ通知する。また、上記インスタントメッセージ６を一時的にサーバ内部で保管しているプレゼンスサーバ５は、サーバ内部で管理しているユーザのプレゼンス情報７により、ある一定時間内に端末Ｂ３（受信先）のプレゼンス状態がオンラインへ遷移したことを検知できた場合は、一時的にサーバ内部で保管しているインスタントメッセージ６を端末Ｂ３（受信先）へ配送して、且つ、一時的にサーバ内部で保管していたインスタントメッセージ６を端末Ｂ３（受信先）へ配送した旨を伝えるメッセージ９を端末Ａ２（送信元）へ通知する。また、上記インスタントメッセージ６を一時的にサーバ内部で保管しているプレゼンスサーバ５は、サーバ内部で管理しているユーザのプレゼンス情報７により、ある一定時間内に端末Ｂ３（受信先）のプレゼンス状態がオンラインへ遷移したことを検知できない場合は、一時的にサーバ内部で保管しているインスタントメッセージ６を削除して、且つ、一時的にサーバ内部で保管していたインスタントメッセージ６を削除した旨を伝えるメッセージ１０を端末Ａ２（送信元）へ通知する。
【発明の効果】
【０００５】      本発明はインターネットへ接続できる任意な場所から、インスタントメッセージングサービスが利用できる環境において、送信元は受信先へインスタントメッセージを送る際に受信先のプレゼンス状態がオフラインの場合であっても、システムはインスタントメッセージを受信し、且つ、一時的にインスタントメッセージをシステム内部で保管して、ある一定時間内に受信先のプレゼンス状態がオンラインへ遷移したことを検知できた場合は、システム内部で保管していたインスタントメッセージを受信先へ配送することを可能とした。
【発明を実施するための最良の形態】
【０００６】      従来インスタントメッセージングサービスを利用する際は、受信先の現在のプレゼンス状態がオンラインであることを確認する必要があった。この点など本発明は、受信先の現在のプレゼンス状態がオフラインであっても、システム上でインスタントメッセージを受信し、且つ、一時的にインスタントメッセージを保管して、ある一定時間内に受信先のプレゼンス状態がオンラインへ遷移したことを検知した場合は、システムは一時的に保管していたインスタントメッセージを受信先へ配送することが可能であるため、送信元は受信先のプレゼンス状態を意識することなく、いつでも自由にインスタントメッセージングサービスを利用することができる。
【実施例】
【０００７】      インターネットへ接続できる任意な場所から、インスタントメッセージングサービスが利用できる環境において、送信元は受信先へインスタントメッセージを送信する際は、送信元はインスタントメッセージ専用ソフトを起動しインスタントメッセージを送信すると、従来の受信先のプレゼンス状態がオフラインである場合はインスタントメッセージが送信できなかったとくらべ、受信先のプレゼンス状態を意識することなく、いつでも自由にインスタントメッセージングサービスを利用することが可能となる。
【図面の簡単な説明】
【０００８】
【図１】本発明の構成例である。
【図２】本発明のプレゼンスサーバが受信先のプレゼンス状態がオフラインからオンラインへ遷移したことを検知できた場合のシーケンス図（概要）である。
【図３】本発明のプレゼンスサーバが受信先のプレゼンス状態がオフラインからオンラインへ遷移したことを検知できない場合のシーケンス図（概要）である。
【符号の説明】
【０００９】１  インターネット
２  端末Ａ（送信元）
３  端末Ｂ（受信先）
４  インスタントメッセージ専用ソフト（ＩＭ専用ソフト）
５  プレゼンスサーバ（ＰＳ）
６  端末Ａ（送信元）から端末Ｂ（受信先）宛へのインスタントメッセージ（ＩＭ）
７  プレゼンス情報
８  一時的にプレゼンスサーバ内部で保管した旨を伝えるメッセージ
９  一時的にプレゼンスサーバ内部で保管していたインスタントメッセージ６を端末Ｂ３（受信先）へ配送した旨を伝えるメッセージ
１０  一時的にプレゼンスサーバ内部で保管していたインスタントメッセージ６を削除した旨を伝えるメッセージ
【図１】
2007053713.tif 000003
【図２】
2007053713.tif 000004
【図３】
2007053713.tif 000005